(57)【特許請求の範囲】
【請求項１】
燃料ガスを燃焼する複数のバーナを設け、
上記バーナ毎に点火・消火操作をする操作ボタン、操作つまみ等の操作具をそれぞれ備えたガスコンロにおいて、
閉じたときには上記操作具を覆い、開いたときには操作具を露出させて当該操作具を操作可能にする操作カバーを、上記各操作具のそれぞれに開閉自在に設け、
上記操作カバーの開閉状態によって、各バーナ毎に燃焼状態か消火状態かを判別できることを特徴とする老齢者向けガスコンロ。
【請求項２】
各操作カバーに、各操作具に対応するバーナを特定するための表示を設けたことを特徴とする請求項１記載の老齢者向けガスコンロ。
【請求項３】
上記表示の大きさは、２０ポイント以上であることを特徴とする請求項２記載の老齢者向けガスコンロ。
【請求項４】
上記操作具と連動し、上記操作具が点火操作された時に上記操作カバーが閉じられないように係止し、上記操作具が消火操作された時に解除する係止部が設けられることを特徴とする請求項１記載の老齢者向けガスコンロ。
【発明の詳細な説明】
【０００１】
【発明の属する技術分野】
本発明は、老齢者による誤操作を防止できる老齢者向けガスコンロに関する。
【０００２】
【従来の技術】
テーブルコンロでは、図６および図７に示すように、トッププレート３１面にバーナを備えた左こんろ３２ａおよび右こんろ３２ｂが設けられる。
また、前面中央部に魚等を焼くための調理用グリル３４が設けられ、グリル庫３５内の両内壁面には、グリルバーナ（図略）が設けられる。
そして、テーブルコンロの前面に設けられる操作ツマミ３０ａ、３０ｂ、３０ｃ（以下、これらを区別しないときは、単に「操作ツマミ３０」と呼ぶ）を押し回すことにより、こんろまたはグリルバーナが点火される。
【０００３】
バーナが消火状態か燃焼状態かは、操作ツマミ３０の差し示す方向を見ることによって判るようになっている。
一般に、前面中央部のグリル３４を挟んで左右には、左側に左こんろ３２ａの操作ツマミ３０ａ、右側に右こんろ３２ｂの操作ツマミ３０ｂ、その右にグリルの操作ツマミ３０ｃが配置される。
例えば、図５に示す場合には、３個の操作ツマミの内、２個の操作ツマミが上方を向き、右側のグリル用の操作ツマミ３０ｃだけが左方向に回転している。
従って、この場合には、グリル３４だけが点火状態にあることがわかる。
【０００４】
【発明が解決しようとする課題】
しかしながら、老齢者にとっては、操作ツマミの差し示す方向だけで点火状態か否かを判断するのが難しい問題があった。
また、調理鍋の下のとろ火炎や、グリル内の燃焼炎に至っては、炎を確認し難いために、消し忘れたり、あるいは、個々のバーナに対応する操作ツマミを間違えて火災や火傷を生じるおそれもあった。殊に、老齢者は、「青」色が識別し難いと云われ、シャープな青色の燃焼炎であっても視認し難い。
また、テーブルコンロの使用に慣れていない場合には、バーナに対応する操作ツマミがどれなのか判らなくなってしまい、点火操作時に使用しないバーナに着火してしまったり、消火操作時に戸惑ってしまう場合があった。
そこで、本発明の老齢者向けガスコンロは、上記課題を解決し、老齢者等による使用時の誤操作を防止することを目的とする。
【０００５】
【課題を解決するための手段】
上記課題を解決する本発明の請求項１記載の老齢者向けガスコンロは、
燃料ガスを燃焼する複数のバーナを設け、
上記バーナ毎に点火・消火操作をする操作ボタン、操作つまみ等の操作具をそれぞれ備えたガスコンロにおいて、
閉じたときには上記操作具を覆い、開いたときには操作具を露出させて当該操作具を操作可能にする操作カバーを、上記各操作具のそれぞれに開閉自在に設け、
上記操作カバーの開閉状態によって、各バーナ毎に燃焼状態か消火状態かを判別できることを要旨とする。
【０００６】
また、上記課題を解決する本発明の請求項２記載の老齢者向けガスコンロは、上記請求項１記載の老齢者向けガスコンロにおいて、
各操作カバーに、各操作具に対応するバーナを特定するための表示を設けたことを要旨とする。
【０００７】
また、上記課題を解決する本発明の請求項３記載の老齢者向けガスコンロは、上記請求項２記載の老齢者向けガスコンロにおいて、
上記表示の大きさは、２０ポイント以上であることを要旨とする。
【０００８】
また、上記課題を解決する本発明の請求項４記載の老齢者向けガスコンロは、上記請求項１記載の老齢者向けガスコンロにおいて、
上記操作具と連動し、上記操作具が点火操作された時に上記操作カバーが閉じられないように係止し、上記操作具が消火操作された時に解除する係止部が設けられることを要旨とする。
【０００９】
上記構成を有する本発明の請求項１記載の老齢者向けガスコンロでは、使用者が、バーナに対応した操作カバーを開き、操作具を操作して点火する。また、バーナに対応した操作具を操作してバーナを消火し、操作カバーを閉じる。
従って、操作カバーの開閉状態を見ることによって、複数のバーナの内、いずれのバーナを使用しているかが容易にわかる。
その結果、老齢者等による使用時の誤操作を防止することができる。
【００１０】
また、上記構成を有する本発明の請求項２記載の老齢者向けガスコンロでは、使用者が、操作カバーに表示されているバーナを特定するための表示を見て、所望のバーナに対応した操作具を操作できる。
つまり、どの操作具を操作するのかがわかり易い。
従って、老齢者等による使用時の誤操作を防止することができる。
【００１１】
また、上記構成を有する本発明の請求項３記載の老齢者向けガスコンロは、バーナを特定するための表示の大きさが２０ポイント以上と大きいため、視力が低下した老齢者等であっても容易に読みとり、点火または消火しようとするバーナの操作具を的確に操作できる。
従って、老齢者等による使用時の誤操作を防止することができる。
【００１２】
また、上記構成を有する本発明の請求項４記載の老齢者向けガスコンロは、係止部が操作具と連動し、操作具が点火操作された時に操作カバーが閉じられないように係止し、操作具が消火操作された時にその係止を解除する。
つまり、バーナを消火しない限り、操作カバーが閉じられない。
従って、消火操作をしなければならない操作具を明確にすることができる。
その結果、老齢者等による使用時の誤操作を防止することができる。
【００１３】
【発明の実施形態】
以上、説明した本発明の構成・作用を一層明らかにするために、以下本発明の加熱調理器のグリルの好適な実施例について説明する。
テーブルコンロには、図１および図２に示すように、トッププレート３１面にバーナを備えた左こんろ３２ａおよび右こんろ３２ｂが設けられる。
また、これらのこんろ周囲に設けられるごとく３３上には、調理鍋（図示せず）が載せられ、テーブルコンロの前面パネル１４に設けられた操作ツマミ３０ａまたは３０ｂが押し回されることにより、それぞれの左こんろ３２ａまたは右こんろ３２ｂが点火され、ごとく３３上の調理鍋が加熱される。
【００１４】
また、この左こんろ３２ａ、右こんろ３２ｂ間には、魚等を焼くための調理用グリル３４が設けられる。
調理用グリル３４は、奥行きをもったグリル庫３５の開口部がこのテーブルコンロの前面中央部に、被調理物を出し入れできるように設けられる。
このグリル庫３５内の両内壁面には、グリルバーナ（図略）が設けられ、テーブルコンロの前面パネル１４に設けられる操作ツマミ３０ｃ（図２）を押し回すことにより、グリルバーナに点火され、被調理物がその燃焼熱により、加熱調理される。
【００１５】
尚、グリルバーナの燃焼ガス及び被調理物の加熱に伴い発生する煙はグリル庫３５内に設けられる排ガス路を介して前記トッププレート３１面の後方部に設けられる排気口３６により排出される。
【００１６】
また、それぞれの操作ツマミ３０ａ、３０ｂ、３０ｃ（以下、これらを区別しないときは、単に「操作ツマミ３０」と呼ぶ）は、各々の操作カバー２ａ、２ｂ、２ｃ（以下、これらを区別しないときは、単に「操作カバー２」と呼ぶ）によって覆われる。
これらの操作カバー２は、図３に示すように、合成樹脂製の四角い箱形状で、操作ツマミ３を覆うことができる大きさに一体に形成され、正面上部外側に使用者が開閉時につかむつまみ部１０と、正面上部端部に前面パネル１４に開口する孔９に係止するフック部１１と、底面端部に回動自在に前面パネル１４に取付けられる回動支点１２と、回動支点１２を挟んで反対側には、底面端部から略Ｌ字形に延びる腕部１３とが形成される。
【００１７】
点火機構を作動する点火軸４には、その先端から途中までの間に、断面半丸形状の平切り部８が設けられ、この平切り部８は、前面パネル１４に設けたバーリング孔７に挿通される。
この孔７に挿通される平切り部８の先端部には、操作力を点火軸４に伝える操作ツマミ３０が設けられ、前面パネル１４裏側の平切り部８には、半丸孔（図略）を備えた板状の係止板５がその半丸孔に挿通されて設けられる。
また、係止板５の裏側には、点火軸４が押圧操作された場合に、係止板５と当接して係止板５が軸方向に移動しないようにする止め部６が設けられる。
この係止板５は、操作ツマミ３０の回転操作と連動し、点火時に点火軸４の回転に伴って回転する。また、操作ツマミ３０が軸方向へ移動する場合には、点火軸４が軸方向へ移動するが、係止板５はバーリング孔７または止め部６に当接して止まる。
そして、この係止板５は、操作カバー２が開けられた後、操作ツマミ３０の回転操作と連動し、点火操作後に、操作カバー２の腕部１３と止め部６との間隙に入り込み（図４）、消火操作後に、その間隙から退避する（図３）関係に、外形形状が形成される。
【００１８】
操作カバー２のそれぞれの正面および上面には、「右こんろ」、「左こんろ」、「グリル」のバーナ名が表示される（図１および図２）。
この文字の大きさは、判り易く、読み易くするために、２０ポイント（７．０６ｍｍ）以上の大きさにする。また、字体は、文字がつぶれず、読みづらくない程度に太いゴシック体またはナール体が使用され、文字の色には、ベースの色に対して明度差３以上のコントラストがつけられる。
【００１９】
次に、点火操作および消火操作を行う手順を説明する（図３および図４）。
まず、操作カバー２の表示を見て、点火したいバーナの操作カバー２を見つける。この場合に、バーナ名が操作カバー２の正面および上面に大きく表示されているので老齢者でもわかり易い
そして、操作カバー２のつまみ部１０を手前に引くと、孔９に係止するフック部１１が外れ、回動支点１２を軸に操作カバー２が下方に回動して開き、操作ツマミ３０が現れる。
次に、この操作ツマミ３０を押し回すことによって点火操作を行ない、所望のバーナが着火して、燃焼を開始する。
この点火操作時に、点火軸４が操作ツマミ３０と連動して回転し、係止板５が止め部６と腕部１３との隙間に入る。
従って、操作ツマミ３０が点火位置にある場合には、操作カバー２を閉じようしても、その腕部１３が係止板５に当接し、係止板５が止め部６に移動を阻止されることとなり、操作カバー２を閉じることができない。
そして、操作ツマミ３０が消火位置に戻された場合には、係止板５が回転して腕部１３と止め部６との間から退避し、腕部１３は自由に回動できることとなり、操作カバー２を閉じることができる。
このため、操作カバー２を閉じることができない場合には、燃焼中であると判断できる。
【００２０】
以上説明した本実施例のテーブルコンロによれば、従来のように操作ツマミの周囲にバーナ名が小さく表示されるのではなく、操作カバー２に大きく表示されるため、老齢者であっても、点火または消火しようとするバーナの操作ツマミ３０を的確に操作できる。
また、操作カバー２の正面および上面の両面にバーナ名が表示されているので、操作カバー２が開かれた状態でも、どのバーナが使用中なのかわかりやすい。
更に、使用しない操作ツマミ３０は操作カバー２で覆われ、点火操作された操作ツマミ３０は操作カバー２が開かれて露出するため、操作カバー２の開閉状態を見ることによって、操作した操作ツマミ３０を知ることができる。また、消火時の操作は、操作カバー２の開いている操作ツマミ３０だけを閉じればよいので、消火操作を確実に行うことができる。
この場合に、操作ツマミ３０を消火位置に戻さずに操作カバー２を閉じようとしても閉じることができないので、バーナを消し忘れることがない。
従って、老齢者等であっても、点火・消火操作時に間違った操作をしてしまう誤操作を防止でき、安全性を高めることができる。
【００２１】
以上、本発明の実施例について説明したが、本発明はこうした実施例に何等限定されるものではなく、本発明の趣旨を逸脱しない範囲において、種々なる態様で実施し得ることは勿論である。
例えば、本実施例では、操作カバー２に文字を表示する構成としたが、判り易くするために、文字に加えて絵文字を使用する構成としても良い。
【００２２】
また、本実施例では、押し回し操作による操作ツマミ３０を設ける構成としたが、押動操作による操作ボタンまたはスライド操作による操作レバーを設ける構成であっても良い。
【００２３】
また、本実施例では、操作カバー２が四角い箱形状に形成される構成としたが丸形状であっても他の多角形状に形成される構成であっても良い。
【００２４】
また、操作カバー２の開く方向は、下方に限定されず、上方または左右であっても良い。更に、引いて開くことに限定されず、押したりねじったりして開くようにしても良い。
あるいは、回動して開閉することに限定されず、上下、左右にスライドするようにしても良く、あるいは９０°回動してから前後にスライドするようにしても良い。
【００２５】
また、操作カバー２にフック部１１を設けることに限定されず、磁石の吸着力を利用して閉状態を保持するようにしても良く、あるいは他の係止方法を採用しても良い。
また、操作カバー２を閉じる（開く）方向にバネ（トルクバネ、コイルバネ、板バネ）で付勢し、開いた（閉じた）状態で開（閉）状態を保持するように係止しても良い。
【００２６】
【発明の効果】
以上詳述したように、本発明の請求項１記載の老齢者向けガスコンロによれば、
操作カバーの開閉状態を見ることによって、いずれのバーナを使用しているかが容易にわかる。
従って、老齢者等による使用時の誤操作を防止することができるという優れた効果を奏する。
【００２７】
また、本発明の請求項２記載の老齢者向けガスコンロによれば、請求項１による効果に加え、使用者が操作カバーに表示されているバーナを特定するための表示を見ることによって、点火または消火しようとするバーナの操作具を的確に操作できる。
【００２８】
また、本発明の請求項３記載の老齢者向けガスコンロによれば、請求項２による効果に加え、バーナを特定するための表示が操作カバーに大きく表示されているので、老齢者がわかり易い。
【００２９】
また、本発明の請求項４記載の老齢者向けガスコンロによれば、請求項１による効果に加え、消火操作をしなければならない操作具を明確にし、消し忘れを防ぐことができる。
【図面の簡単な説明】
【図１】一実施例としてのテーブルコンロの平面図である。
【図２】一実施例としてのテーブルコンロの正面図である。
【図３】一実施例としてのテーブルコンロの側面図である（操作カバー閉）。
【図４】一実施例としてのテーブルコンロの側面図である（操作カバー開）。
【図５】従来のテーブルコンロのグリルの点火状態を示す正面図である。
【図６】従来のテーブルコンロの平面図である。
【図７】従来のテーブルコンロの消火状態を示す正面図である。
【符号の説明】
２    操作カバー
４    点火軸
５    係止板
６    止め部
７    バーリング孔
８    平切り部
３０    操作ツマミ
３２ａ  左こんろ
３２ｂ  右こんろ
３４    グリル
【図１】
0003801337.tif 000002
【図２】
0003801337.tif 000003
【図３】
0003801337.tif 000004
【図４】
0003801337.tif 000005
【図５】
0003801337.tif 000006
【図６】
0003801337.tif 000007
【図７】
0003801337.tif 000008